(57)【要約】【課題】  収納した衣類にしわを付けず、かつ、内部の衣類をひと目で分かるように収納し、効率良い収納と出し入れが可能な衣装ケースを提供する。【解決手段】  本発明の衣装ケース（１０）は、衣装ケースの内部に設けられ、衣装ケース（１０）の一対の側面に沿って伸びる一対の第１の棒（３ａ，３ｂ）と、一対の第１の棒（３ａ，３ｂ）に架け渡される第２の棒（４）とを備え、第２の棒（４）に衣類（５）がかけらて収納されることを特徴とする。【選択図】図１Ｂ
2020169041.tif 000002
【特許請求の範囲】
【請求項１】
箱形の衣装ケースの内部に設けられ、前記衣装ケースの一対の側面に沿って伸びる一対の第１の棒と、
前記一対の第１の棒に架け渡される第２の棒とを備え、
前記第２の棒に衣類が、かけらて収納されることを特徴とする衣装ケース。
【請求項２】
前記第１の棒は、前記衣装ケースと別の部材で構成されていることを特徴とする請求項１に記載の衣装ケース。
【請求項３】
両端に鍵状部を有する金具を備え、
前記金具の一端の前記鍵状部が前記衣装ケースの側面にかけられ、
前記金具の他端の前記鍵状部に前記第１の棒の端部がかけられていることを特徴とする請求項２に記載の衣装ケース。
【請求項４】
前記第１の棒および前記第２の棒とが、伸縮自在に構成されていることを特徴とする請求項２または３に記載の衣装ケース。
【請求項５】
前記第１の棒は、前記衣装ケースと一体に成形されていることを特徴とする請求項１に記載の衣装ケース。
【請求項６】
前記第２の棒が、半丸棒であることを特徴とする請求項１から５のいずれか１項に記載の衣装ケース。
【請求項７】
前記第１の棒および前記第２の棒が、木またはプラスチックからなることを特徴とする請求項１から６のいずれか１項に記載の衣装ケース。
【請求項８】
前記第２の棒の前記衣類がかけられる部分に滑り止め部材が設けられていることを特徴とする請求項１から７のいずれか１項に記載の衣装ケース。
【発明の詳細な説明】
【技術分野】
【０００１】
本発明は、衣装ケースに関する。
【背景技術】
【０００２】
従来、衣装を効率よく収納できる技術が開発されている。特許文献１には、棚板及びハンガー等を支持する支持ブラケット部と、この支持ブラケット部が着脱可能に取付けられる収納具取付部材と、この収納具取付部材を立設させる立設部材とを設け、上記支持ブラケット部は上記収納具取付部材に係止される係止部と、棚板を着脱自在に支持する水平支持部とを有し、上記収納具取付部材には上記支持ブラケット部の係止部が少なくとも一対取付られる取付部を設けたことを特徴とする衣類用支持架が開示されている。
【先行技術文献】
【特許文献】
【０００３】
【特許文献１】特開平６−３２７５１９号公報
【発明の概要】
【発明が解決しようとする課題】
【０００４】
特許文献１は押入へ各種衣類を収納するための技術であるが、衣装ケース等のより小さい空間への収納においても、収納した衣類（セーター、Ｔシャツおよびスラックス等）にしわを付けず、かつ、内部の衣類をひと目で分かるように収納し、効率よく簡単に出し入れ可能であることが求められている。
【０００５】
本発明は、上記事情に鑑み、収納した衣類にしわを付けず、かつ、内部の衣類をひと目で分かるように収納し、効率よく簡単に出し入れ可能な衣装ケースを提供することを目的とする。
【課題を解決するための手段】
【０００６】
上記課題を解決するための本発明の衣装ケースの一態様は、箱形の衣装ケースの内部に設けられ、衣装ケースの一対の側面に沿って伸びる一対の第１の棒と、一対の第１の棒に架け渡される一対の第２の棒とを備え、第２の棒に衣類がかけらて収納される。
【０００７】
本発明のより具体的な構成は、特許請求の範囲に記載される。
【発明の効果】
【０００８】
本発明によれば、収納した衣類にしわを付けず、かつ、内部の衣類をひと目で分かるように収納し、効率よく簡単に出し入れ可能な衣装ケースを提供できる。
【０００９】
上記した以外の課題、構成および効果は、以下の実施形態の説明により明らかにされる。
【図面の簡単な説明】
【００１０】
【図１Ａ】本発明の衣装ケースの外観の一例を模式的に示す斜視図
【図１Ｂ】図１Ａの引き出しの内部を示す上面図
【図２】引き出しに第１の棒を固定する金具６を示す図
【図３】引き出しと第１の棒が一体に成形された態様を示す図
【図４Ａ】第２の棒の第１の例を示す模式図
【図４Ｂ】第２の棒の第２の例を示す模式図
【図４Ｃ】第２の棒の第３の例を示す模式図
【図５】滑り止め材が設けられた第２の棒を示す図
【発明を実施するための形態】
【００１１】
以下、本発明の実施形態について図面を用いて説明する。ただし、ここで取り上げた実施形態に限定されることはなく、発明の要旨を変更しない範囲で適宜組み合わせや改良が可能である。
【００１２】
図１Ａは本発明の衣装ケースの一例を模式的に示す斜視図であり、図１Ｂは図１Ａの引き出しの内部を示す上面図である。図１Ａに示すように、本発明の衣装ケース１０は箱形であり、外側ケース１と、外側ケース１に収納される引き出し２を有する。引き出し２の前面には取っ手３が設けられ、取っ手３を持つことで、外側ケース１から引き出し２を容易に引き出すことができ、また、引き出し２を外側ケース１に収納することができる。
【００１３】
図１Ｂに示すように、引き出し２の内部には、衣装ケース１０の一対の側面に沿って伸びる一対の第１の棒３ａ，３ｂと、一対の第１の棒３ａ，３ｂに架け渡される第２の棒４とを備え、第２の棒４に衣類５がかけられて収納される。図１Ｂでは、衣装ケース１０の引き出し２の内部に、引き出し２の長手方向に伸びる側面に沿って第１の棒３ａ，３ｂが設けられ、第１の棒３ａ，３ｂに直交するように、第２の棒４の両端部が一対の第１の棒３ａ，３ｂに架け渡されている。
【００１４】
なお、一対の第１の棒３ａ，３ｂと第２の棒４の配置を逆にして、引き出し２の短手方向に沿って伸びる側面に沿って一対の第１の棒を設け、引き出し２の長手方向に沿って伸びる第２の棒を設けても良い。
【００１５】
図１Ｂに示すように、引き出し２の内部に設けられた第２の棒４に衣類５を吊り下げて収納することによって、衣類５を折りたたむ必要が無く、衣類５にしわを付けず収納することができる。また、引き出し２の内部のすべての衣類５を認識することができるので、取り出す衣類５の場所が一目でわかり、効率よく簡単に出し入れすることができる。
【００１６】
図２は引き出しに第１の棒を固定する金具６を示す図である。引き出し２と第１の棒３ａ，３ｂとは、一体に成形されたものであっても良いし、別の部材で構成されていても良い。引き出し２と第１の棒３ａ，３ｂとを別の部材で構成する場合、図２に示すような金具（フック）６を用いて引き出し２と第１の棒３ａ，３ｂとを固定することができる。金具６は、両端部に鍵状部を有し、一端の鍵状部が引き出し２の端部に引っ掛けられ、他端の鍵状部が第１の棒３ａ，３ｂの端部を支持する。引き出し２の四隅にこの金具６を設ければ、一対の第１の棒３ａ，３ｂの両端部を引き出し２に固定することができる。
【００１７】
図３は引き出しと第１の棒が一体に成形された態様を示す図である。図３に示すように、引き出し２の内部に、上述した第１の棒３ａ，３ｂに相当する突起２０が設けられていて、引き出し２と第１の棒３ａ，３ｂとが一体に成形されていてもよい。
【００１８】
また、図３に示すように、第１の棒が深さ方向に複数設けられていても良い。図３では、２段（３ａ，３ｃ）としているが、３段以上となるように第１の棒が設けられていても良い。またこの場合、第１の棒（３ａ、３ｃ）は、第２の棒として機能しても良い。
【００１９】
図４Ａ〜４Ｃは第２の棒の例を示す模式図である。第２の棒の形状に特に限定はなく、図４Ａの第１の例のように円柱状であっても良いし、図４Ｂの第２の例のように、断面が半円である半丸棒であってもよい。図４Ｂに示す丸棒体は、衣類がかけ易く、より好ましい。また、図４Ｃに示す第３の例のように、たも竿のように伸縮自在に構成されていても良い。第２の棒の素材は、特に限定は無いが、木または樹脂（プラスチック）が好ましい。
【００２０】
図５は第２の棒に設けられた滑り止め材を示す図である。図５に示すように、第２の棒４の衣類がかけられる部分に滑り止め材７を有することによって、衣類がすべり落ちるのを防ぐことができる。
【００２１】
滑り止め材の材料は、例えばスポンジが好ましい。また、シリコンゴムなどの可とう性を有する材料が好ましい。
【００２２】
なお、上述した衣装ケース１０は、洋服ダンスであっても良い。洋服ダンスの引き出しに、上述した衣装ケース１０の引き出し２と同じように第１の棒３ａ，３ｂおよび第２の棒を設ければ、同様の効果を得ることができる。
【００２３】
以上、説明したように、本発明によれば、収納した衣類にしわを付けず、かつ、内部の衣類をひと目で分かるように収納し、効率よく簡単に出し入れ可能な衣装ケースを提供できることが示された。
【符号の説明】
【００２４】
１…外側ケース、２…引き出し、３ａ，３ｂ，３ｃ…第１の棒、４ａ，４ｂ，４ｃ…第２の棒、５…衣類、６…金具、７…滑り止め部材、１０…衣装ケース、２０…突起。
【図１Ａ】
2020169041.tif 000003
【図１Ｂ】
2020169041.tif 000004
【図２】
2020169041.tif 000005
【図３】
2020169041.tif 000006
【図４Ａ】
2020169041.tif 000007
【図４Ｂ】
2020169041.tif 000008
【図４Ｃ】
2020169041.tif 000009
【図５】
2020169041.tif 000010